(57)【要約】【課題】  動画像データを、記録された媒体から移動や複製することなく外部編集装置で編集可能とし、映像編集の操作性を改善する録画再生装置およびその映像編集方法を提供する。【解決手段】  録画再生装置１０１において、デジタル記録された動画像の編集を行う外部編集装置１０２が接続され、外部編集装置１０２からの静止画像列の送信要求に基づいて、動画像から複数枚の静止画像と各静止画像の時間情報からなる静止画像列を作製し、作製した静止画像列を外部編集装置１０２に送信する静止画像列生成機能２０５と、外部編集装置１０２からの、静止画像列による動画像の編集命令を受信し、編集命令の実行処理を制御する外部編集制御機能２０２とを備えた。【選択図】  図２
2006180407.tif 000002
【特許請求の範囲】
【請求項１】
動画像のデジタル記録および前記デジタル記録された動画像の再生を行う録画再生装置であって、
前記デジタル記録された動画像の編集を行う外部編集装置が接続され、
前記外部編集装置からの静止画像列の送信要求に基づいて、前記動画像から複数枚の静止画像と前記各静止画像の時間情報からなる静止画像列を作製し、作製した前記静止画像列を前記外部編集装置に送信する静止画像列生成手段と、
前記外部編集装置からの、前記静止画像列による動画像の編集命令を受信し、前記編集命令の実行処理を制御する外部編集制御手段とを備えたことを特徴とする録画再生装置。
【請求項２】
請求項１記載の録画再生装置において、
前記静止画像列生成手段は、前記外部編集装置から編集位置の時間情報を含む静止画像列の送信要求を受信し、前記編集位置の時間情報に基づいて、前記静止画像列を作製する前記動画像の範囲を変更することを特徴とする録画再生装置。
【請求項３】
請求項１または２記載の録画再生装置において、
前記動画像に対してコピーコントロール管理を行うコピーコントロール管理手段と、
前記動画像のコピーコントロール情報から、作製する前記静止画像列に含まれる静止画像に対し、画像保護処理を行う静止画像保護手段とを備えたことを特徴とする録画再生装置。
【請求項４】
請求項１、２または３記載の録画再生装置において、
前記外部編集装置より受信した前記編集命令を実行し、前記編集命令からプレイリストを作製し、作製された前記プレイリストに従い動画像の再生を行う、または、編集された動画像を作製する編集処理手段を備えたことを特徴とする録画再生装置。
【請求項５】
動画像のデジタル記録および前記デジタル記録された動画像の再生を行う録画再生装置の映像編集方法であって、
前記デジタル記録された動画像の編集を行う外部編集装置からの静止画像列の送信要求に基づいて、前記動画像から複数枚の静止画像と前記各静止画像の時間情報からなる静止画像列を作製し、作製した前記静止画像列を前記外部編集装置に送信し、前記外部編集装置からの、前記静止画像列による動画像の編集命令を受信し、前記編集命令の実行処理を制御することを特徴とする録画再生装置の映像編集方法。
【発明の詳細な説明】
【技術分野】
【０００１】
本発明は、動画のデジタル記録が可能な録画再生装置に関し、特に、動画像データの移動もしくは複製を行うことなく外部編集装置から編集作業ができるようにした録画再生装置およびその映像編集方法に関するものである。
【背景技術】
【０００２】
従来、デジタル記録された動画像を編集するには、動画像データを録画した録画再生装置を使い編集する。
【０００３】
近年、パーソナルコンピュータといった小型端末は、処理速度の高速化や表示画面の高解像度化により、デジタル記録された動画像の編集において利用されることが普及している。コンピュータを外部編集装置として利用した編集を行うには、まず録画再生装置から動画像の全データを外部編集装置に移動や複製した後に編集を開始する。データの移動時間を配慮し低解像度の動画像を利用するものもある（例えば、特許文献１参照）。
【０００４】
また、インデックスファイルを作成し、これを編集することで、編集データの増加を防止したものもある（特許文献２参照）。
【０００５】
一方で、デジタル放送の開始にともない、デジタル放送を受信し録画できる録画再生装置では、映像劣化のないデジタル録画が可能となった。デジタル録画された動画像は映像劣化なく複製を作製できるため、録画再生装置では著作権保護を目的としたコピーコントロールによる管理機能を持つ。
【０００６】
コピーワンス属性で放送された映像は、録画再生装置で１回のみ録画可能であり、録画された映像は複製禁止（Ｎｏ  Ｍｏｒｅ  Ｃｏｐｙ）属性のデータとして管理される。このようにコピーコントロールされた映像は録画再生装置から移動する場合、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）、ＤＴＣＰ−ＩＰ（ＤＴＣＰ  ｏｖｅｒ  Ｉｎｔｅｒｎｅｔ  Ｐｒｏｔｏｃｏｌ）、ＣＧＭＳ（Ｃｏｐｙ  Ｇｅｎｅｒａｔｉｏｎ  Ｍａｎａｇｅｍｅｎｔ  Ｓｙｓｔｅｍ）といったコンテンツ保護される。このためデータ移動の際に移動先の機器や媒体に制限をうける。
【０００７】
また、デジタル放送を低解像度で変換録画した場合にも、コピーコントロールによる制限をうける。
【特許文献１】特開２００４−７２４７６号公報
【特許文献２】特開平１１−２６００３９号公報
【発明の開示】
【発明が解決しようとする課題】
【０００８】
録画再生装置にある動画像を外部装置により編集を行う場合、編集作業の開始前に、対象となる動画像データ全てを移動する必要があり、データの移動に時間を費やす。また、低解像度の動画像を利用する場合には、あらかじめ低解像度の第二動画像を記録する必要があり、また動画像データを移動する必要もある。
【０００９】
録画再生装置において編集作業を行うと、録画再生装置に接続されたテレビを使用しながら編集確認を行うため、テレビを占有してしまう。また、録画再生装置固有操作の入力装置を使い編集作業を行う必要があり、操作内容によって入力装置を選べないという問題もある。
【００１０】
また、コピーコントロール管理された動画像であれば、動画像の複製時に複製回数の制限や、動画像の移動時に移動先装置の機器認証、移動元の動画像データを削除するコピー制御の制限がある。
【００１１】
そこで、本発明の目的は、動画像データを、記録された媒体から移動や複製することなく外部編集装置で編集可能とし、映像編集の操作性を改善する録画再生装置およびその映像編集方法を提供することにある。
【課題を解決するための手段】
【００１２】
本発明による録画再生装置は、動画像のデジタル記録およびデジタル記録された動画像の再生を行う録画再生装置であって、デジタル記録された動画像の編集を行う外部編集装置が接続され、外部編集装置からの静止画像列の送信要求に基づいて、動画像から複数枚の静止画像と各静止画像の時間情報からなる静止画像列を作製し、作製した静止画像列を外部編集装置に送信する静止画像列生成手段と、外部編集装置からの、静止画像列による動画像の編集命令を受信し、編集命令の実行処理を制御する外部編集制御手段とを備えたものである。
【００１３】
また、本発明の映像編集方法は、動画像のデジタル記録およびデジタル記録された動画像の再生を行う録画再生装置の映像編集方法であって、デジタル記録された動画像の編集を行う外部編集装置からの静止画像列の送信要求に基づいて、動画像から複数枚の静止画像と各静止画像の時間情報からなる静止画像列を作製し、作製した静止画像列を外部編集装置に送信し、外部編集装置からの、静止画像列による動画像の編集命令を受信し、編集命令の実行処理を制御するものである。
【発明の効果】
【００１４】
本発明によれば、動画像データの移動を行わず、動画像データよりデータ量の少ない静止画を外部編集装置へ送信するため、外部編集装置で静止画像を確認しながら編集作業を行うことができる。
【００１５】
また、本発明によれば、録画再生装置に接続する表示装置を必要とせず、外部編集装置を使い編集作業を行えるため、編集作業にあわせた入力装置や環境を選ぶことができる。
【００１６】
また、本発明によれば、編集対象の動画像データの移動および複製を行わないため、コピーコントロール管理された動画像も編集することができる。
【発明を実施するための最良の形態】
【００１７】
以下、本発明の実施の形態を図面に基づいて詳細に説明する。なお、実施の形態を説明するための全図において、同一の部材には原則として同一の符号を付し、その繰り返しの説明は省略する。
【００１８】
＜録画再生装置の外部編集装置による映像編集の概要＞
図１により、本発明の一実施の形態に係る録画再生装置の外部編集装置による映像編集の概要について説明する。図１は本発明の一実施の形態に係る録画再生装置の外部編集装置による映像編集の概要について説明するための説明図である。
【００１９】
図１において、録画再生装置１０１には動画像データが記録されており、編集者は外部編集装置１０２を使用し、動画像の編集作業を行う構成となっている。
【００２０】
録画再生装置１０１と外部編集装置１０２は通信回線１０３を通して接続され、編集者は外部編集装置１０２に表示された静止画像を確認しながら編集作業を行う。
【００２１】
録画再生装置１０１より送信される映像データは、例えばＤＴＣＰによりコンテンツ保護１０４されている。
【００２２】
通信回線１０３は、例えば、ＩＥＥＥ１３９４、イーサネット（登録商標）、ＵＳＢ、ブルートゥース、電話回線網により構成され、録画再生装置１０１と外部編集装置１０２との間の通信を媒介する。
【００２３】
静止画像とは、例えば、ＪＰＥＧ、ＢＭＰ、ＧＩＦ、ＰＮＧ、ＴＩＦＦ形式の画像フォーマットやＭＰＥＧ動画像に含まれるＩピクチャのことである。
【００２４】
＜録画再生装置および外部編集装置の機能＞
次に、図２により、本発明の一実施の形態に係る録画再生装置および録画再生装置上の映像編集を行う外部編集装置の機能について説明する。図２は本発明の一実施の形態に係る録画再生装置および録画再生装置上の映像編集を行う外部編集装置の機能を説明するための説明図である。
【００２５】
図２において、録画再生装置１０１は、編集処理手段である編集処理機能２０３、動画コーデック２０４、静止画エンコーダ２０６、静止画像列生成手段である静止画像列生成機能２０５、ストリーミング機能２０７、外部編集制御手段である外部編集制御機能２０２、コピーコントロール管理手段であるコピーコントロール管理２１８、静止画像保護手段である静止画像保護機能２１９を有する。録画再生装置１０１は編集対象となる動画像データ２０１を再生できる状態にある。
【００２６】
編集処理機能２０３は、対象となる動画像データ２０１を読み出し、データ加工を行い新たな動画像データの作製保存や、プレイリストの作成を行う。
【００２７】
動画コーデック２０４は動画像データ２０１の圧縮伸張を行うアルゴリズムで、動画像データの再生や作製を補助するものである。
【００２８】
静止画エンコーダ２０６は静止画像データの圧縮を行うアルゴリズムで静止画像の作製を補助するものである。
【００２９】
静止画像列生成機能２０５は、動画像データ２０１を読み出し、動画像データ２０１から一定時間間隔ごとに静止画像を作製し、静止画像と時間情報からなる静止画像列２１６を作製するものである。
【００３０】
ストリーミング機能２０７は、動画像データ２０１を読み出し、コピー制御や暗号化処理され、コンテンツ保護された動画像データをストリーミング映像２１５として外部編集装置１０２に送信するものである。
【００３１】
外部編集制御機能２０２は、外部編集装置１０２から編集命令２１３もしくは、静止画像要求２１４、ストリーミング要求２１７を受け付け、録画再生装置１０１の各機能の実行処理を制御するものである。
【００３２】
コピーコントロール管理２１８は、動画像データ２０１のコンテンツ保護情報を制御し、データの保護管理をするものである。
【００３３】
静止画像保護機能２１９は、静止画像列の作成時に、静止画に対しコンテンツ保護処理を行うものである。
【００３４】
また、録画再生装置１０１上の映像編集を行う外部編集装置１０２は、映像要求機能２０８、編集命令生成機能２０９、静止画像列表示機能２１０、静止画デコーダ２１１、ストリーミング再生機能２１２を有する。
【００３５】
映像要求機能２０８は録画再生装置１０１に対して、静止画像列２１６もしくはストリーミング映像２１５の送信要求をするものである。
【００３６】
編集命令生成機能２０９は編集者が入力した編集操作を解析し、録画再生装置１０１に送信する編集命令２１３を生成するものである。
【００３７】
静止画像列表示機能２１０は録画再生装置１０１から送信された静止画像列２１６から静止画像と時間情報をサムネイル表示するものである。
【００３８】
静止画デコーダ２１１は圧縮された静止画像データの伸張を行うアルゴリズムで、静止画の表示を行う静止画像列表示機能２１０を補助するものである。
【００３９】
ストリーミング再生機能２１２は録画再生装置１０１から送信されたストリーミング映像２１５を再生表示するものである。映像データを記録媒体へ保存できないようにコンテンツ保護も行う。
【００４０】
また、外部編集装置１０２から録画再生装置１０１には編集命令２１３または、静止画像要求２１４、ストリーミング要求２１７が送信される。
【００４１】
編集命令２１３は、編集対象の動画像の指定、編集種別、編集コマンド、編集位置の時間情報から構成される。
【００４２】
静止画像要求２１４は、要求データの形式、対象動画像の指定、静止画像枚数、編集位置の時間情報から構成される。
【００４３】
ストリーミング要求２１７は、要求データの形式、対象動画の指定から構成される。
【００４４】
＜外部記憶装置の編集画面例＞
次に、図３および図４により、本発明の一実施の形態に係る録画再生装置上の映像編集を行う外部編集装置の編集画面例について説明する。図３および図４は、本発明の一実施の形態に係る録画再生装置上の映像編集を行う外部編集装置の編集画面例を説明するための表示例であり、図３は映像編集する映像全体を等間隔で静止画表示した例、図４は図３において指定された一部分を等間隔で静止画表示した例を示している。
【００４５】
図３において、外部編集装置の編集画面は、静止画像と時間位置を表示したサムネイル７０１〜７１０と、動画像のタイムバーに編集情報を付加して表示した編集バー７２１から構成され、サムネイル７０１〜７１０は時系列順に並べて表示されている。
【００４６】
また、編集バー７２１の編集情報としては、例えば、図３に示す例では、斜線で示される箇所は、映像編集によりスキップする箇所と指定された情報となっている。
【００４７】
また、編集バー７２１の上方には、現在表示されている各サムネイル７０１〜７１０の時間位置を示す三角印７１１〜７２０が表示されている。
【００４８】
図３において、編集者がサムネイル７０１とサムネイル７０２の間の時間にある映像を表示し編集作業を行うには、サムネイル７０１とサムネイル７０２を選択し、表示の更新操作を行う。この変更操作は、例えば、画面上に表示された変更ボタン（図示せず）や、外部編集装置１０２のキーボードなどに設けられた変更ボタン（図示せず）などにより行うことができるようになっている。
【００４９】
外部編集装置１０２では、編集位置の時間情報を含めた静止画像要求２１４を録画再生装置１０１に送信し、新規に静止画像列２１６を録画再生装置１０１より受信し、サムネイル７０１〜７１０を更新表示する。
【００５０】
この更新表示された編集画面は、図４に示すように、更新された静止画像と時間位置を表示したサムネイル８０１〜８１０は、図３に示すサムネイル７０１の時間位置とサムネイル７０２の時間位置の間の時間位置を持つ。
【００５１】
また、編集バー７２１の上方には、更新されたサムネイル８０１〜８１０の時間位置を示す三角印８１１が表示されている。編集者は更新されたサムネイル８０１〜８１０を確認しながら編集作業を行っていく。
【００５２】
＜録画再生装置および外部編集装置の動作＞
次に、図５〜図８により、本発明の一実施の形態に係る録画再生装置および録画再生装置上の映像編集を行う外部編集装置の動作について説明する。図５および図６は本発明の一実施の形態に係る録画再生装置および録画再生装置上の映像編集を行う外部編集装置の動作を説明するための説明図であり、図５は外部編集装置が、録画再生装置より静止動画列を取得する場合の例を示し、図６は録画再生装置が外部編集装置から編集命令を取得し、編集を実行処理する場合の例を示している。
【００５３】
図７は本発明の一実施の形態に係る録画再生装置の静止画像列生成機能の処理を示すフローチャート、図８は本発明の一実施の形態に係る録画再生装置の編集処理機能の処理を示すフローチャートである。
【００５４】
まず、外部編集装置１０２が、録画再生装置１０１より静止動画列を取得する動作としては、図５に示すように、外部編集装置１０２を使用している編集者が編集操作を開始すると、外部編集装置１０２は映像要求機能２０８により、録画再生装置１０１に静止画像要求２１４を送信する（ステップＳ１０）。
【００５５】
次に、録画再生装置１０１は外部編集制御機能２０２により、静止画像要求２１４を受信すると、静止画像列生成機能２０５を呼び出し実行し（ステップＳ１１）、静止画像列生成機能２０５は対象となる動画像データ２０１から編集位置の時間にあたるデータ部とコピーコントロール情報を読み出す（ステップＳ１２，ステップＳ１３）。
【００５６】
次に、静止画エンコーダ２０６と静止画像保護機能２１９を利用して読み出した動画像データから静止画像を指定枚数生成する（ステップＳ１４）。
【００５７】
そして、ステップＳ１４で生成した静止画像と各静止画の時間情報からなる静止画像列２１６を生成し、外部編集装置１０２に送信する（ステップＳ１５）。
【００５８】
次に、外部編集装置１０２は、静止画像列表示機能２１０により、受信した静止画像列２１６を、例えば図３に示すような、編集画面に静止画像と時間のサムネイル一覧として表示する。
【００５９】
作成される静止画像列２１６の静止画像は、外部編集装置１０２がＤＴＣＰに対応していれば、静止画像保護機能２１９が静止画に対して暗号化を行うので、静止画枚数と画像の大きさを任意に設定する。
【００６０】
また、外部編集装置１０２がＤＴＣＰに対応していないときは、例えば動画像データ２０１が映像サイズ：７２０×４８０、フレームレート：３０ｆｐｓで録画され、コピーコントロールされた映像であるとすると、この映像の１秒間に対して、各フレーム３０枚それぞれの静止画像を送信してしまうと静止画像からもとの映像が再現できてしまう。これを防ぐため、映像の１秒間に対して静止画１枚まで、サイズも１４４×９６と小さくする制限をかける処理を行い、コンテンツ保護（コピーが意味ないようにする）を行う。
【００６１】
また、録画再生装置１０１が外部編集装置１０２から編集命令を取得し、編集を実行処理する動作としては、図６に示すように、まず、外部編集装置１０２を使用している編集者が編集の実行操作を行うと、外部編集装置１０２は、編集命令生成機能２０９が生成した編集命令２１３を録画再生装置１０１に送信する（ステップＳ２０）。
【００６２】
次に、録画再生装置１０１は編集命令２１３を受信すると、外部編集制御機能２０２により編集処理機能２０３を呼び出す（ステップＳ２１）。
【００６３】
次に、編集処理機能２０３は編集命令２１３を基に編集作業を逐次実行処理し、編集した動画像データ５１もしくは編集プレイリスト５２を作製し編集処理を終了する（ステップＳ２２，ステップＳ２３）。
【００６４】
また、図５における静止画像列生成機能２０５の処理としては、図７に示すように、まず、ステップＳ４０において、静止画像列生成機能２０５が読み出され、処理を開始する。
【００６５】
次に、ステップＳ４１において、送信要求に編集位置の時間情報があるかを判別する。ステップＳ４１において、時間情報がない場合は、対象動画像に対する最初の静止画像列要求と判断し、ステップＳ４２の処理に移る。ステップＳ４１において、時間情報があるときはステップＳ４３に移る。
【００６６】
ステップＳ４２において対象となる動画像を読み出し、映像の先頭時間と最後部を編集位置の時間情報としステップＳ４３に進む。
【００６７】
次に、ステップＳ４３において、編集対象の動画像がコピーコントロールされている映像かを判別する。ステップＳ４３において、コピーコントロールされた映像の場合はステップＳ４４に移る。ステップＳ４３において、コピーコントロール対象外の映像の場合はステップＳ４５に移る。
【００６８】
ステップＳ４４において、コピーコントロールされた映像の場合、静止画の枚数と、画像の大きさを変更しステップＳ４５に移る。
【００６９】
次に、ステップＳ４５において、編集位置の時間情報と静止画像枚数から各静止画像の時間位置を計算処理する。
【００７０】
次に、ステップＳ４６において、対象となる動画像を読み込み、ステップＳ４３で計算された時間位置にあたるフレーム映像から、静止画像を生成する。
【００７１】
次に、ステップＳ４７において、コピーコントロール情報をもとに生成された静止画像に対し静止画像の保護処理を行う。この静止画像の保護処理は、例えば、静止画像に電子透かしを挿入するなどして行われる。
【００７２】
次に、ステップＳ４８において、生成された静止画像と、ステップＳ４３で計算された各静止画像の時間位置情報を静止画像枚数分まとめ、静止画像列を生成する。
【００７３】
次に、ステップＳ４９において、静止画像列を外部編集装置に送信し処理を終了する。
【００７４】
また、図６における編集処理機能２０３の処理としては、図８に示すように、まず、ステップＳ６０において、編集処理機能が読み出され、処理を開始する。
【００７５】
ステップＳ６１において、図６に示す編集命令２１３が実行可能か判別する。ステップＳ６１において、実行できない命令がある場合、録画再生装置１０１に搭載されてない編集機能が編集命令に含まれるためステップＳ６２に移る。ステップＳ６１において、可能な場合、ステップＳ６３に移る。
【００７６】
ステップＳ６２において、エラー処理を行い、編集処理を終了する。
【００７７】
次に、ステップＳ６３において、編集種別を判別する。ステップＳ６３において、編集種別がプレイリスト作成であれば、ステップＳ６４に移る。
【００７８】
ステップＳ６４において、編集命令からプレイリストを作成する。実際の動画像データの編集は行わない。
【００７９】
次に、ステップＳ６７において編集処理を終了する。
【００８０】
また、ステップＳ６３において、編集種別がプレイリスト作成ではなく、新規に動画像データを作成する必要がある編集であれば、ステップＳ６５に移る。
【００８１】
ステップＳ６５において、編集対象の動画像がコピーコントロールにより複製禁止されているか判別する。ステップＳ６５において、複製禁止の場合、ステップＳ６２に移りエラー処理をして編集を終了する。
【００８２】
ステップＳ６５において複製可能であれば、ステップＳ６６に移る。
【００８３】
ステップＳ６６において、編集対象の動画像を読み出し、編集命令の編集処理を逐次実行して、編集処理された新規の動画像データを作製する。
【００８４】
次に、ステップＳ６７において、編集処理を終了する。
【００８５】
編集者が編集結果を動画像映像として確認したい場合、図２において外部編集装置１０２からストリーミング要求２１７を送信し、録画再生装置１０１からストリーミング映像２１５を受信する。これを再生表示し編集結果を確認する。
【００８６】
以上のように、本実施の形態では、録画再生装置１０１から外部編集装置１０２への動画像データの移動を行わず、動画像データよりデータ量の少ない静止画を外部編集装置１０２へ送信して編集を行うようにしたので、外部編集装置１０２で静止画像を確認しながら編集作業を行うことができる。
【００８７】
また、録画再生装置１０１に接続する表示装置を必要とせず、外部編集装置１０２を使い編集作業を行えるため、編集作業にあわせた入力装置や環境を選ぶことができる。
【００８８】
また、編集対象の動画像データの移動および複製を行わないため、コピーコントロール管理された動画像も編集することができる。
【００８９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【図面の簡単な説明】
【００９０】
【図１】本発明の一実施の形態に係る録画再生装置の外部編集装置による映像編集の概要について説明するための説明図である。
【図２】本発明の一実施の形態に係る録画再生装置および録画再生装置上の映像編集を行う外部編集装置の機能を説明するための説明図である。
【図３】本発明の一実施の形態に係る録画再生装置上の映像編集を行う外部編集装置の編集画面例を説明するための表示例である。
【図４】本発明の一実施の形態に係る録画再生装置上の映像編集を行う外部編集装置の編集画面例を説明するための表示例である。
【図５】本発明の一実施の形態に係る録画再生装置および録画再生装置上の映像編集を行う外部編集装置の動作を説明するための説明図である。
【図６】本発明の一実施の形態に係る録画再生装置および録画再生装置上の映像編集を行う外部編集装置の動作を説明するための説明図である。
【図７】本発明の一実施の形態に係る録画再生装置の静止画像列生成機能の処理を示すフローチャートである。
【図８】本発明の一実施の形態に係る録画再生装置の編集処理機能の処理を示すフローチャートである。
【符号の説明】
【００９１】
５１…編集した動画像データ、５２…編集プレイリスト、１０１…録画再生装置、１０２…外部編集装置、１０３…通信回線、１０４…コンテンツ保護、２０１…動画像データ、２０２…外部編集制御機能、２０３…編集処理機能、２０４…動画コーデック、２０５…静止画像列生成機能、２０６…静止画エンコーダ、２０７…ストリーミング機能、２０８…映像要求機能、２０９…編集命令生成機能、２１０…静止画像列表示機能、２１１…静止画デコーダ、２１２…ストリーミング再生機能、２１３…編集命令、２１４…静止画像要求、２１５…ストリーミング映像、２１６…静止画像列、２１７…ストリーミング要求、２１８…コピーコントロール管理、２１９…静止画像保護機能、７０１〜７１０…サムネイル、７１１〜７２０…三角印、７２１…編集バー、８０１〜８１０…サムネイル、８１１…三角印。
【図１】
2006180407.tif 000003
【図２】
2006180407.tif 000004
【図３】
2006180407.tif 000005
【図４】
2006180407.tif 000006
【図５】
2006180407.tif 000007
【図６】
2006180407.tif 000008
【図７】
2006180407.tif 000009
【図８】
2006180407.tif 000010